(57)【要約】【課題】  各部のネットが枠体の各部に接合されて、ゴルフ練習時の各種の打球に対応できるとともに、屋内や屋外の構造部材との現合作業がなく、設備及び移動が簡易な簡易ゴルフ練習設備を提供すること。【解決手段】  平面矩形の土台枠３の前端両側に建てた支柱５の上部をくの字状に曲げて後傾部４とし、支柱５間を横梁で接合し、土台枠３両側の縦骨１に後端から前端部に断面Ｌ状の波返し枠９を建てて成る骨格に、襞のあるネットを張り回し設け、土台枠３の前端に波返しネット８を設け、土台枠３内に敷いた芝ネット１０に縦線１８と横線１９を設け、正面ネット１３に打球確認の標示板１７を設けて成る。【選択図】  図１
2005125104.tif 000002
【特許請求の範囲】
【請求項１】
縦骨と横骨からなる平面縦長矩形の土台枠の前端両側には、上端にくの字状の後傾部を設けた支柱が立設され、両支柱は横梁で接合され、両支柱の後傾部の上端と土台枠の縦方向中間部とに斜柱を接合し、土台枠の後端から前端に設けられる波返しネットまでの間の両側の縦骨に断面Ｌ状の波返し枠を立設した骨格において、土台枠内に芝マットを敷き、前記骨格に襞のあるネットを張り回して成る簡易ゴルフ練習設備。
【請求項２】
正面ネットに高さ方向の確認ラインを表示した標示板を設けて成る請求項１記載の簡易ゴルフ練習設備。
【請求項３】
芝マットに所要の間隔で縦線と該縦線に直交する横線を配設して成る請求項１又は２記載の簡易ゴルフ練習設備。
【発明の詳細な説明】
【技術分野】
【０００１】
本発明は、屋内、屋外兼用の構造簡易なゴルフの練習設備に関する。
【背景技術】
【０００２】
ゴルフの室内練習場として天井と四面の壁にネットを張ったものがあるが、このような設備は広いスペースを必要とする。これに対し自宅での狭いスペースに設置できる室内ゴルフ練習設備として、特開２００２−６５９２５号公報（特許文献１）が提案されている。このものは正面幕１１と側面幕４２の裏にそれぞれトップボウルやシャンクボウル対策としてのスポンジ３１，３４のほかに布地３２の巻物を設けるなど、構成部材が区々である上、室内との現場工事を伴うなどで設置が煩雑である。
【特許文献１】特開２００２−６５９２５号公報
【発明の開示】
【発明が解決しようとする課題】
【０００３】
本発明は上記に鑑みて、各部のネットが枠体の各部に接合されてゴルフ練習時の各種の打球に対応できるとともに、屋内や屋外の既設構造部材との現合作業がなく、設置及び移動が簡易な簡易ゴルフ練習設備を提供する。
【課題を解決するための手段】
【０００４】
上記課題を解決する請求項１に記載した簡易ゴルフ練習設備は、縦骨と横骨からなる平面縦長矩形の土台枠の前端両側には、上端にくの字状の後傾部を設けた支柱が立設され、両支柱の後傾部の基端と上端に横梁が横架接合され、両支柱の後傾部上端と土台枠の縦方向中間部とに斜柱を接合し、土台枠の後端から前端に設けられる波返しネットまでの間の両側の縦骨に断面Ｌ状の波返し枠を立設し、土台枠の全面に敷設される芝マットと、後傾部に設けられる切返しネットと、両支柱の間に襞を形成して設けられる正面ネットと、後傾部を含む各支柱と土台枠の各縦骨と斜柱との間に襞を形成して設けられる側面ネットと、両支柱と土台枠との隅角部に架設される切返しネットとから成る。
請求項２の発明は、請求項１に記載した簡易ゴルフ練習設備において、
正面ネットに高さ方向の確認ラインを表示した標示板を設けて成る。
請求項３の発明は、請求項１又は２に記載した簡易ゴルフ練習設備において、芝マットに所要の間隔で縦線と該縦線に直交する横線を配設して成る。
【発明の効果】
【０００５】
請求項１に記載した簡易ゴルフ練習設備によれば、各部のネットは骨格に一体に接合されるから移動設置が極めて簡易であり、屋内外の場所形態を問わず設置でき、正面ネットと両側面ネットはそれ自体で打球の勢いを吸収し、枠体の後端から両端の縦方向中間部にかけて立設される波返し枠はゴルフボールの飛び出しを防止し、正面ネットの上端に形成される後傾部に張られる切返しネットは打球を外方へ逸らさず芝マット上に落下させ、後傾部真下の波返しネットは正面ネットで受け止めた打球を練習者の方へ返す。このように練習時に発生する各打球に簡易かつ堅牢な構造で対応できる効果がある。請求項２の発明では、標示板に示される複数段の確認ラインによって飛距離の想定ができる。請求項３の発明では、アイアンによるショット及びパットでの方向性や距離の正確な判断の修得に役立ちドライバーからパターまで全本数を有効に使用できる効果がある。全体は１セット品としても取り扱いできる。
【発明を実施するための最良の形態】
【０００６】
本発明の一構成要件たる骨格は、鋼製や合成樹脂製のパイプや継手により組み立てられるものから、鋼製アングル材や軽量形鋼などのボルト締めによるなどであり、取り付けられる正面ネットと側面ネットは、それぞれ取付け面積の1.5倍強の面積を有して縦横にクッション用の襞を形成する。芝マットは水平に敷設されるものから、縦方向に若干の勾配を設けたものでも提供される。
積雪地帯では積雪に耐える構造物内に設けることができる。さらに、融雪装置の設備で冬期間屋外でも使用できる。
【実施例】
【０００７】
本発明の簡易ゴルフ練習設備の実施例を説明すると、図１に示すように、該設備の骨格は、縦骨１と横骨２から成る平面縦長矩形の土台枠３の前端両側には、上端をくの字状に後方に向け後傾部４とした支柱５が立設され、両側の後傾部４の基端間と上端間には横梁６が横架接合され、両側の後傾部４の上端と土台枠３の縦方向中間部とに斜柱７を接合し、両側の縦骨１には土台枠３の後端から、前端の支柱５間に設けられる波返しネット８までの間に断面Ｌ状の波返し枠９を立設して骨格が構成される。この骨格に対して土台枠３の全面に敷設される芝マット１０と、後傾部４に設けられる切返しネット１１と、支柱５の間に襞１２を形成して設けられる正面ネット１３と、後傾部４を含む各支柱５と土台枠３の各縦骨１と斜柱７との間に襞１２を形成して設けられる側面ネット１４と、両支柱５と土台枠３との隅角部の両横梁１５に斜め架設される波返しネット８と、正面ネット１３の中央部に高さ方向の確認ライン１６を高さ数字（図外）と共に設けた標示板１７と、芝マット１０に所要の間隔で直交して配設された縦線１８と横線１９が設けられて成っている。
【０００８】
この簡易ゴルフ練習設備は、練習で発生する各種打球を各ネットのみで対処でき、屋内や屋外での構成部材との現合作業がなく、設置や設置場所への移動などが簡易となる。また、標示板１７の確認ライン１６によって正面ネット１３で緩衝される打球はその飛距離が想定でき、ティ２０から打ち出されるショットの練習に効果があり、さらに、芝マット１０の縦線１８とそれに直交する横線１９にアイアン及びパターのフェース面を合わせることにより、方向性の確保と距離の捉え方の確認に役立つものである。
このほか、仮想線で示すように両側面ネット１４を、支柱５に対して直角状に張り出した側部材２１に縦横の襞１２を形成して張り付け、両側面ネット１４の上部に天井ネット２２を設けたものも提供され得る。
強度上では、必要に応じて補強材を使用して補強する。
【産業上の利用可能性】
【０００９】
本発明の簡易ゴルフ練習設備は、さほど広くないスペースに設置でき、その移動も他の構造部材との接合がなく簡易であるからゴルフ上達を求めるゴルファーにとっては有用であり、需要が見込まれるから構成部材を取り扱う業界にも活性化をもたらす。
【図面の簡単な説明】
【００１０】
【図１】本発明の簡易ゴルフ練習設備の説明用斜視図。
【符号の説明】
【００１１】
１：縦骨
２：横骨
３：土台枠
４：後傾部
５：支柱
６：横梁
７：斜柱
８：波返しネット
９：波返し枠
１０：芝マット
１１：切返しネット
１２：襞
１３：正面ネット
１４：側面ネット
１５：横梁
１６：確認ライン
１７：標示板
１８：縦線
１９：横線
２０：ティ
【図１】
2005125104.tif 000003